(57)【特許請求の範囲】
【請求項１】
第一分割型（４１）と第二分割型（４２）に分割された分割型（４０）により鍛造品（Ｗ３）を成形した後、成形した鍛造品（Ｗ３）と分割型（４０）を離間させる鍛造品と分割型の離間方法において、
型割ピン（３７）に設けられたテーパ状の型割ピン第一テーパ部（３７ａ）および逆テーパ状の型割ピン第二テーパ部（３７ｂ）であって、前記第一分割型（４１）と前記第二分割型（４２）の型閉状態においては前記第一分割型（４１）と前記第二分割型（４２）の内部に位置する前記型割ピン第一テーパ部（３７ａ）および前記型割ピン第二テーパ部（３７ｂ）を、前記第一分割型（４１）と前記第二分割型（４２）との間から突出させる方向へ、前記型割ピン（３７）を移動させることにより、
前記第一分割型（４１）の前記第二分割型（４２）と対向する第一分割型端面（４１ｄ）に成形したテーパ状の第一分割型分割面テーパ部（４１ｅ）と、
前記第二分割型（４２）の前記第一分割型（４１）と対向する第二分割型端面（４２ｄ）に成形した逆テーパ状の第二分割型分割面テーパ部（４２ｅ）との間を、第一分割型分割面テーパ部（４１ｅ）と嵌合する前記型割ピン第一テーパ部（３７ａ）と、第二分割型分割面テーパ部（４２ｅ）と嵌合する前記型割ピン第二テーパ部（３７ｂ）とで押圧し、
前記第一分割型（４１）および前記第二分割型（４２）の各々を、支持部に支持された鍛造品（Ｗ３）から離隔する方向へ移動させる第一工程と、
前記第一工程により、前記第一分割型（４１）および前記第二分割型（４２）から離隔した前記鍛造品（Ｗ３）を取り出す第二工程とを有することを特徴とする鍛造品と分割型の離間方法。
【請求項２】
鍛造品（Ｗ３）を成形する第一分割型（４１）と第二分割型（４２）に分割された分割型（４０）と、
前記第一分割型（４１）及び前記第二分割型（４２）を鍛造品（Ｗ３）から離間するように駆動する分割型駆動装置（４５）と、
前記第一分割型（４１）は、前記第二分割型（４２）と対向する第一分割型端面（４１ｄ）にテーパ状の第一分割型分割面テーパ部（４１ｅ）を有すると共に、
前記第二分割型（４２）は、前記第一分割型（４１）と対向する第二分割型端面（４２ｄ）に逆テーパ状の第二分割型分割面テーパ部（４２ｅ）を有し、
前記第一分割型分割面テーパ部（４１ｅ）と同方向に傾斜する型割ピン第一テーパ部（３７ａ）および前記第二分割型分割面テーパ部（４２ｅ）と同方向に傾斜する逆テーパ状の型割ピン第二テーパ部（３７ｂ）が設けられた型割ピン（３７）であって、前記第一分割型（４１）と前記第二分割型（４２）の型閉状態においては、前記型割ピン第一テーパ部（３７ａ）および前記型割ピン第二テーパ部（３７ｂ）が前記第一分割型（４１）と前記第二分割型（４２）の内部に位置する前記型割ピン（３７）と、
前記型割ピン第一テーパ部（３７ａ）および前記型割ピン第二テーパ部（３７ｂ）が前記第一分割型（４１）と前記第二分割型（４２）との間から突出する方向へ前記型割ピン（３７）を移動させることにより、前記型割ピン第一テーパ部（３７ａ）が前記第一分割型分割面テーパ部（４１ｅ）を押圧し、前記型割ピン第二テーパ部（３７ｂ）が前記第二分割型分割面テーパ部（４２ｅ）を押圧するように型割ピン（３７）を駆動して、前記第一分割型（４１）および前記第二分割型（４２）の各々を、支持部に支持された鍛造品（Ｗ３）から離隔する方向へ移動させる型割ピン駆動装置（３９）と、を備えることを特徴とする鍛造品と分割型の離間装置。
【発明の詳細な説明】
【技術分野】
【０００１】
本発明は、第一分割型と第二分割型に分割された分割型により、鍛造品を成形し、成形した鍛造品と分割型を離間させる鍛造品と分割型の離間方法及びその装置に関する。
【背景技術】
【０００２】
従来、鍛造品を成形する場合には、鍛造品の上面を成形する上型と、鍛造品の下面を成形する下型と、複数に分割され、各々に鍛造品の側面を成形する側面成形部を有する分割型と、を備える鍛造装置を準備する。そして、この下型に所定形状に成形された中間成形品を載置した後、側面成形部を有する複数の分割型が中間成形品の側面に向けて前進して、側面を保持、或いは、押圧する。最後に上型が下降し、中間成形品の上面を押圧して、鍛造品を成形する成形方法が知られている（特許文献１乃至４参照）。
【０００３】
ここで、上記成形方法で鍛造品を成形した後、複数の分割型が鍛造品の側面を拘束した状態で上型が上昇する。その後、バネ、エアーシリンダー、油圧装置等からなる分割型駆動装置により複数の分割型を後退させて、分割型を鍛造品から離間させ、最後に、鍛造装置に取り付けられたノックアウトにより鍛造品を上方に持ち上げ、鍛造品を金型から取り出している。
【特許文献１】実開昭５７−１１６４７号公報
【特許文献２】実開昭５８−１８６４８号公報
【特許文献３】特開平７−２８４８７６号公報
【特許文献４】特開２００７−５０４２７号公報
【発明の開示】
【発明が解決しようとする課題】
【０００４】
しかし、上記鍛造品と分割型の離間方法によると、上型により鍛造品を成形した時に、鍛造品の側面が分割型に張り付いているので、分割型駆動装置によって鍛造品と分割型を離間させる時に、分割型駆動装置が大きな駆動力を必要とし、分割型駆動装置が大型化するという問題があった。
【０００５】
また、上記張り付きにより、分割型駆動装置によって鍛造品と分割型を離間させる時に、鍛造品と分割型の離間が遅れ、鍛造品を成形するサイクルがずれるという問題があった。
【０００６】
本発明は、上記事情により鑑みなされたもので、分割型駆動装置への負荷を低減させて、分割型駆動装置を小型化し、製造コストを削減すると共に、鍛造品と分割型を離間させる時に、所定のタイミングで確実に離間させることができる鍛造品と分割型の離間方法及びその装置を提供することを目的とする。
【課題を解決するための手段】
【０００７】
本発明の鍛造品と分割型の離間方法は、第一分割型と第二分割型に分割された分割型により鍛造品を成形した後、成形した鍛造品と分割型を離間させる鍛造品と分割型の離間方法において、型割ピンに設けられたテーパ状の型割ピン第一テーパ部および逆テーパ状の型割ピン第二テーパ部であって、前記第一分割型と前記第二分割型の型閉状態においては前記第一分割型と前記第二分割型の内部に位置する前記型割ピン第一テーパ部および前記型割ピン第二テーパ部を、前記第一分割型と前記第二分割型との間から突出させる方向へ、前記型割ピンを移動させることにより、前記第一分割型の前記第二分割型と対向する第一分割型端面に成形したテーパ状の第一分割型分割面テーパ部と、前記第二分割型の前記第一分割型と対向する第二分割型端面に成形した逆テーパ状の第二分割型分割面テーパ部との間を、第一分割型分割面テーパ部と嵌合する前記型割ピン第一テーパ部と、第二分割型分割面テーパ部と嵌合する前記型割ピン第二テーパ部とで押圧し、前記第一分割型および前記第二分割型の各々を、支持部に支持された鍛造品から離隔する方向へ移動させる第一工程と、前記第一工程により、前記第一分割型および前記第二分割型から離隔した前記鍛造品を取り出す第二工程とを有することを特徴とする。
【０００８】
本発明の鍛造装置は、鍛造品を成形する第一分割型と第二分割型に分割された分割型と、前記第一分割型及び前記第二分割型を鍛造品から離間するように駆動する分割型駆動装置と、前記第一分割型は、前記第二分割型と対向する第一分割型端面にテーパ状の第一分割型分割面テーパ部を有すると共に、前記第二分割型は、前記第一分割型と対向する第二分割型端面に逆テーパ状の第二分割型分割面テーパ部を有し、前記第一分割型分割面テーパ部と同方向に傾斜する型割ピン第一テーパ部および前記第二分割型分割面テーパ部と同方向に傾斜する逆テーパ状の型割ピン第二テーパ部が設けられた型割ピンであって、前記第一分割型と前記第二分割型の型閉状態においては、前記型割ピン第一テーパ部および前記型割ピン第二テーパ部が前記第一分割型と前記第二分割型の内部に位置する前記型割ピンと、前記型割ピン第一テーパ部および前記型割ピン第二テーパ部が前記第一分割型と前記第二分割型との間から突出する方向へ前記型割ピンを移動させることにより、前記型割ピン第一テーパ部が前記第一分割型分割面テーパ部を押圧し、前記型割ピン第二テーパ部が前記第二分割型分割面テーパ部を押圧するように型割ピンを駆動して、前記第一分割型および前記第二分割型の各々を、支持部に支持された鍛造品から離隔する方向へ移動させる型割ピン駆動装置と、を備えることを特徴とする。
【発明の効果】
【０００９】
本発明の鍛造品と分割型の離間方法によれば、第一分割型と第二分割型に分割された分割型により鍛造品を成形した後、成形した鍛造品と分割型を離間させる鍛造品と分割型の離間方法において、型割ピン第一テーパ部および型割ピン第二テーパ部を第一分割型と第二分割型との間から突出させる方向へ、型割ピンを移動させることにより、第一分割型の前記第二分割型と対向する第一分割型端面に成形したテーパ状の第一分割型分割面テーパ部と、第二分割型の第一分割型と対向する第二分割型端面に成形した逆テーパ状の第二分割型分割面テーパ部との間を、第一分割型分割面テーパ部と嵌合するテーパ状の型割ピン第一テーパ部と、第二分割型分割面テーパ部と嵌合する逆テーパ状の型割ピン第二テーパ部とで押圧して、第一分割型および第二分割型の各々を、支持部に支持された鍛造品から離隔する方向へ移動させるので、型割ピンの型割ピン第一テーパ部上を第一分割型の第一分割型分割面テーパ部が摺動し、型割ピンの型割ピン第二テーパ部上を第二分割型の第二分割型分割面テーパ部が摺動して、鍛造品と分割型が離間し、鍛造品と分割型を離間させる分割型駆動装置への負荷を低減することができる。このため、分割型駆動装置を小型化して製造コストを削減することができる。また、型割ピンにより確実に鍛造品と分割型を離間させることができるので、所定のタイミングで鍛造品を成形することができる。
【００１０】
本発明の鍛造装置によれば、鍛造品を成形する第一分割型と第二分割型に分割された分割型と、前記第一分割型及び前記第二分割型を鍛造品から離間するように駆動する分割型駆動装置と、前記第一分割型は、前記第二分割型と対向する第一分割型端面にテーパ状の第一分割型分割面テーパ部を有すると共に、前記第二分割型は、前記第一分割型と対向する第二分割型端面に逆テーパ状の第二分割型分割面テーパ部を有し、前記第一分割型分割面テーパ部と同方向に傾斜する型割ピン第一テーパ部および前記第二分割型分割面テーパ部と同方向に傾斜する逆テーパ状の型割ピン第二テーパ部が設けられた型割ピンであって、前記第一分割型と前記第二分割型の型閉状態においては、前記型割ピン第一テーパ部および前記型割ピン第二テーパ部が前記第一分割型と前記第二分割型の内部に位置する前記型割ピンと、前記型割ピン第一テーパ部および前記型割ピン第二テーパ部が前記第一分割型と前記第二分割型との間から突出する方向へ前記型割ピンを移動させることにより、前記型割ピン第一テーパ部が前記第一分割型分割面テーパ部を押圧し、前記型割ピン第二テーパ部が前記第二分割型分割面テーパ部を押圧するように型割ピンを駆動して、前記第一分割型および前記第二分割型の各々を、支持部に支持された鍛造品から離隔する方向へ移動させる型割ピン駆動装置と、を備えるため、鍛造品と分割型の離間方法を実現することができる。
【発明を実施するための最良の形態】
【００１１】
以下本発明の実施例を図１乃至図７に基づいて説明する。図１は本発明の鍛造品の成形工程を表す断面正面図である。図２は鍛造品を成形する熱間鍛造成形工程を表し、左半部が、鍛造品の成形前、右半部が、鍛造品を成形した状態を表す部分断面正面図である。図３は図２を、軸線を中心に９０°回転させた状態の鍛造品を成形する熱間鍛造成形工程を表し、左半部が、鍛造品の成形前、右半部が、鍛造品を成形した状態を表す部分断面図である。図４は鍛造品を成形した後の熱間鍛造成形工程を表し、左半部が、型割ピンが上昇し、分割型が後退した状態、右半部が、第二ノックアウトにより鍛造品が金型から取り出された状態を表す部分断面正面図である。図５は分割型の平面図である。図６は分割型が後退した状態を表し、上半部が、初期の分割型が後退した状態の平面図であり、下半部が、更に分割型が後退した状態の平面図である。図７は図５のＡ−Ａ部の駆動状態を表し、（ア）は、分割型が後退する前の状態を表す要部断面正面図、（イ）は、分割型が型割ピンと分割型駆動装置により後退を開始した状態を表す要部断面正面図、（ウ）は、更に分割型が後退した状態を表す要部断面正面図である。
【００１２】
まず、図１に基づいて円柱状の素材Ｗ０から鍛造品Ｗ３までの加工形状について説明する。図１の（ア）に示す如く、線材を必要な長さに切断した円柱状の素材Ｗ０は、軸線方向に押圧されることにより、図１の（イ）に示す如く、素材Ｗ０より大径で、素材Ｗ０より軸線方向長さが短い略円柱状の一次中間成形品Ｗ１となる。この一次中間成形品Ｗ１は、図１の（ウ）に示す如く、軸線方向一端の軸心周辺に第一凹部１０が成形され、軸線方向一端の外周に第一鍔部１１が成形された二次中間成形品Ｗ２となる。この第一凹部１０は、開口側に略円筒状の第一大径円筒部１０ａ、反開口側に略円筒状で第一大径円筒部１０ａより小径の第一小径円筒部１０ｂを有する。この二次中間成形品Ｗ２は、図１の（エ）に示す如く、軸線方向他端の軸心周辺に第二凹部１２が成形され、軸線方向他端の外周に第二鍔部１３が成形された鍛造品Ｗ３となる。この第二凹部１２は、開口側に第二大径円筒部１２ａ、反開口側に第二大径円筒部１２ａより小径の第二小径円筒部１２ｂを有する。
【００１３】
次に二次中間成形品Ｗ２から鍛造品Ｗ３を成形する鍛造装置２０について図２乃至図３に基づいて説明する。鍛造装置２０は、下型３０、下型３０上を軸線と垂直方向に摺動する分割型４０、及び上型５０を有する。
【００１４】
下型３０は、図２に示す如く、軸心部に配置され、型彫空間３１の一部を構成する第一ノックアウト３２、第一ノックアウト３２の外周に配置され、同じく型彫空間３１の一部を構成する第一鍛造品成形ダイ３３及び第二鍛造品成形ダイ３４、第一ノックアウト３２を下方に付勢する下型第一付勢装置３５、第一ノックアウト３２の下方に配置されたノックアウトピン３６を有する。更に、下型３０は、図３に示す如く、後述する分割型４０の対向する分割型端面に、軸線方向に突出可能な型割ピン３７を２本有する。そして、型割ピン３７の下方外周に、型割ピン３７を下方に付勢する型割ピン付勢装置３８、型割ピン３７の下方に、型割ピン３７、ノックアウトピン３６、及び第一ノックアウト３２を上昇させる型割ピン駆動装置としての第二ノックアウト３９を有する。
【００１５】
分割型４０は、下型３０の上面に配置され、第一分割型４１及び第二分割型４２から構成される。第一分割型４１は、一端に二次中間成形品Ｗ２の外周を拘束する第一分割型拘束部４１ａ、他端にテーパ状の第一分割型後端テーパ部４１ｂ、上面に周状に凹む第一分割型嵌合凹部４１ｃを有する。同様に、第二分割型４２は、一端に二次中間成形品Ｗ２の外周を拘束する第二分割型拘束部４２ａ、他端にテーパ状の第二分割型後端テーパ部４２ｂ、上面に周状に凹む第二分割型嵌合凹部４２ｃを有する。また、第二鍛造品成形ダイ３４と第一分割型４１の間に第一分割型４１を径方向外側に付勢する第一分割型駆動装置４３が配置され、第二鍛造品成形ダイ３４と第二分割型４２の間に第二分割型４２を径方向外側に付勢する第二分割型駆動装置４４が配置され、分割型駆動装置４５を構成している。
【００１６】
上型５０は、軸心部に配置された押圧ピン５１、押圧ピン５１の外周に配置され、押圧ピン５１と同じ長さで下方に突出する第一小径凸部５２ａ、及び第一小径凸部５２ａの外周で第二小径凸部５２ａより突出長さが短い第二大径凸部５２ｂを有する中央パンチ５２を有する。そして、中央パンチ５２の外周に配置され、周状に突出した嵌合凸部５３ａを有する嵌合パンチ５３、嵌合パンチ５３の外周に配置され、第一分割型４１の第一分割型後端テーパ部４１ｂと平行に傾斜する第一カムレバーテーパ部５４ａを有する第一カムレバー５４、同様に、嵌合パンチ５３の外周に配置され、第二分割型４２の第二分割型後端テーパ部４２ｂと平行に傾斜する第二カムレバーテーパ部５５ａを有する第二カムレバー５５を備える。更に、上型５０は、上記押圧ピン５１を下方に付勢する上型第一付勢装置５６、嵌合パンチ５３及び第一カムレバー５４を下方に付勢する上型第二付勢装置５７、嵌合パンチ５３及び第二カムレバー５５を下方に付勢する上型第三付勢装置５８を有する。
【００１７】
次に、図５乃至図７に基づいて型割ピン３７の先端付近の第一分割型４１、第二分割型４２、及び型割ピン３７の形状について詳述する。第一分割型４１は、第二分割型４２と対向する第一分割型端面４１ｄにテーパ状の第一分割型分割面テーパ部４１ｅを有する。一方、第二分割型４２は、第一分割型４１と対向する第二分割型端面４２ｄに第一分割型分割面テーパ部４１ｅと垂直面１００を中心に逆テーパ状の第二分割型テーパ部４２ｅを有する。また、型割ピン３７は、先端に第一分割型分割面テーパ部４１ｅと平行かつ嵌合する型割ピン第一テーパ部３７ａと、型割ピン第一テーパ部３７ａと垂直面１００を中心に逆テーパ状であって、第二分割型分割面テーパ部４２ｅと平行かつ嵌合する型割ピン第一テーパ部３７ｂを有する。
【００１８】
次に鍛造装置２０により二次中間成形品Ｗ２から鍛造品Ｗ３を成形し、成形した鍛造品Ｗ３を第一鍛造品成形ダイ３３及び第二鍛造品成形ダイ３４から取り出す方法を説明する。
【００１９】
カップ形状に成形された二次中間成形品Ｗ２を、図示せぬ搬送装置により、図２の左半部及び図３の左半部に示す如く、鍛造装置３０の第一鍛造品成形ダイ３３、及び第二鍛造品成形ダイ３４に成形された型彫空間３１に配置する。続いて、上型５０が下降し、第一カムレバー５４の第一カムレバーテーパ部５４ａが第一分割型４１の第一分割型後端テーパ部４１ｂに当接し、第一分割型後端テーパ部４１ｂ上を第一カムレバーテーパ部５４ａが摺動して、第一分割型４１が前進し、第一分割型拘束部４１ｂが二次中間成形品Ｗ２の側面を拘束する。また、同時に、第二カムレバー５５の第二カムレバーテーパ部５５ａが第二分割型４２の第二分割型後端テーパ部４２ｂに当接し、第二分割型後端テーパ部４２ｂ上を第二カムレバーテーパ部５５ａが摺動して、第二分割型４２が前進し、第二分割型拘束部４２ｂが二次中間成形品Ｗ２の側面を拘束する。その後、嵌合パンチ５３の嵌合凸部５３ａが、第一分割型４１に成形された第一分割型嵌合凹部４１ｃ及び第二分割型４２に成形された第二分割型嵌合凹部４２ｃに嵌合して、第一分割型４１及び第二分割型４２が位置決めされる。最後に、押圧ピン５１及び中央パンチ５２が下降して、下型３０が二次中間成形品Ｗ２の下面を拘束し、分割型４０が二次中間成形品Ｗ２の側面を拘束した状態で、上型５０が二次中間成形品Ｗ２の上面を押圧し、図２の右半部及び図３の右半部に示す如く、鍛造品Ｗ３を成形する。
【００２０】
鍛造品Ｗ３の成形が完了すると、まず、上型５０が上昇する。続いて、図４の左半部、及び図６の上半部に示す如く、鍛造品Ｗ３が第一鍛造品成形ダイ３３に軸支された状態で、第二ノックアウト３９が上昇し、第二ノックアウト３９に押圧されて型割ピン３７が上昇して、第一分割型４１と第二分割型４２の離間、鍛造品Ｗ３と第一分割型４１の離間、及び鍛造品Ｗ３と第二分割型４２の離間が同時に行われる。そして、分割型４０の離間及び鍛造品Ｗ３と分割型４０の離間が行われた第一分割型４１及び第二分割型４１は、図６の下半部に示す如く、第一分割型駆動装置４３及び第二分割型駆動装置４４により更に後退する。その後、図４の右半部に示す如く、更に第二ノックアウト３９が上昇してノックアウトピン３６を通じて第一ノックアウト３２が上昇し、鍛造品Ｗ３が第一鍛造品成形ダイ３３及び第二鍛造品成形ダイ３４から取り出される。
【００２１】
次に、図３乃至図５、及び図７を基に型割ピン３７による第一分割型４１と第二分割型４２の型割、鍛造品Ｗ３と第一分割型４１の離間、及び鍛造品Ｗ３と第二分割型４２の離間について詳述する。上型５０により鍛造品Ｗ３の成形が完了すると、図３の右半部、及び図５に示す如く、型割ピン３７の先端は第一分割型４１及び第二分割型４２の内部に位置し、第一分割型４１の第一分割型端面４１ｄと第二分割型４２の第二分割型端面４２ｄが当接して、型閉状態となっている。この時、型割ピン３７の先端周辺は、図７の（ア）に示す如く、第一分割型分割面テーパ部４１ｅと型割ピン３７の型割ピン第一テーパ部３７ａが嵌合し、第二分割型分割面テーパ部４２ｅと型割ピン３７の型割ピン第二テーパ部３７ｂが嵌合している。そして、第二ノックアウト３９により型割ピン３７が上昇すると、図７の（イ）及び（ウ）に示す如く、型割ピン３７の型割ピン第一テーパ部３７ａ上を第一分割型４１の第一分割型分割面テーパ部４１ｅが摺動し、第一分割型４１が後退する。また、同時に、型割ピン３７の型割ピン第二テーパ部３７ｂ上を第二分割型４２の第二分割型分割面テーパ部４２ｅが摺動し、第二分割型４２が後退して、第一分割型４１と第二分割型４２が離間する。
【００２２】
第一分割型４１と第二分割型４２が離間する時、図４の左半部に示す如く、鍛造品Ｗ３は第一鍛造品成形ダイ３３によって鍛造装置２０の軸心部に保持された状態であり、図６に示す如く、第一分割型４１及び第二分割型４２のみ、鍛造装置２０の軸心部から径方向外側に後退する。このため、第一分割型４１と第二分割型４２を離間した時に、鍛造品Ｗ３が第一分割型４１又は第二分割型４２の何れか一方に張り付いて、径方向外側に移動することを防止する。すなわち、第一分割型４１と第二分割型４２の離間に加えて、鍛造品Ｗ３と第一分割型４１の離間、及び鍛造品Ｗ３と第二分割型４２の離間が同時に行われる。
【００２３】
以上のように、本発明の鍛造品Ｗ３と分割型４０の離間方法によれば、第一分割型４１と第二分割型４２に分割された分割型４０により鍛造品Ｗ３を成形した後、成形した鍛造品Ｗ３と分割型４０を離間させる鍛造品と分割型の離間方法において、第一分割型４１の第二分割型４２と対向する第一分割型端面４１ｄに成形したテーパ状の第一分割型分割面テーパ部４１ｅと、第二分割型４２の第一分割型４１と対向する第二分割型端面４２ｄに成形した逆テーパ状の第二分割型分割面テーパ部４２ｅとの間を、第一分割型分割面テーパ部４１ｅと嵌合するテーパ状の型割ピン第一テーパ部３７ａと、第二分割型分割面テーパ部４２ｅと嵌合する逆テーパ状の型割ピン第二テーパ部３７ｂとを有する型割ピン３７で押圧して、成形した鍛造品Ｗ３と分割型４０を離間させるので、型割ピン３７の型割ピン第一テーパ部３７ａ上を第一分割型４１の第一分割型分割面テーパ部４１ｅが摺動し、型割ピン３７の型割ピン第二テーパ部３７ｂ上を第二分割型４２の第二分割型分割面テーパ部４２ｅが摺動して、鍛造品Ｗ３と第一分割型４１及び第二分割型４２が離間する。
【００２４】
本発明の鍛造装置２０によれば、鍛造品Ｗ３を成形する第一分割型４１と第二分割型４２に分割された分割型４０と、第一分割型４１及び第二分割型４２を鍛造品Ｗ３から離間するように駆動する分割型駆動装置４５と、第一分割型４１は、第二分割型４２と対向する第一分割型端面４１ｄにテーパ状の第一分割型分割面テーパ部４１ｅを有すると共に、第二分割型４２は、第一分割型４１と対向する第二分割型端面４２ｄに逆テーパ状の第二分割型分割面テーパ部４２ｅを有し、第一分割型分割面テーパ部４１ｅと同方向に傾斜する型割ピン第一テーパ部３７ａ、及び第二分割型分割面テーパ部４２ｅと同方向に傾斜する型割ピン第二テーパ部３７ｂを有する型割ピン３７と、型割ピン第一テーパ部３７ａが第一分割型分割面テーパ部４１ｅを押圧し、型割ピン第二テーパ部３７ｂが第二分割型分割面テーパ部４２ｅを押圧するように型割ピン３７を駆動する型割ピン駆動装置３９と、を備えるため、鍛造品Ｗ３と第一分割型４１と第二分割型４２からなる分割型４０の離間方法を実現することができる。
【００２５】
尚、本発明の実施例では、型割ピン３７を下型３０に取り付け、型割ピン３７を上昇させて、鍛造品Ｗ３と第一分割型４１及び第二分割型４２の離間を行っているが、型割ピンを上型に取り付け、第一分割型の上面の第二分割型と対向する第一分割型端面にテーパ状の第一分割型分割面テーパ部を成形し、第二分割型の上面の第一分割型と対向する第二分割型端面に成形した逆テーパ状の第二分割型分割面テーパ部を成形し、鍛造品と第一分割型及び第二分割型の離間を行ってもよい。この時、第一分割型分割面テーパ部及び第二分割型分割面テーパ部は、第一分割型端面及び第二分割型端面に対する軸線方向の垂直断面がＶ字形状に成形されている。また、上型に取り付けられた型割ピンは、先端に第一分割型分割面テーパ部と同方向に傾斜する型割ピン第一テーパ部、及び、第二分割型分割面テーパ部と同方向に傾斜する型割ピン第二テーパ部が成形されている。
【００２６】
また、本発明の実施例では、分割型４０を第一分割型４１と第二分割型４２から構成しているが、３個以上の分割型に適用してもよい。更に、型割ピン３７は、先端に型割ピン第一テーパ部３７ａ及び型割ピン第一テーパ部３７ｂを成形していたが、先端以外（例えば、型割ピン３７の軸線方向中ほど）に成形してもよい。加えて、第一分割型分割面テーパ部４１ｅと型割ピン第一テーパ部３７ａ、及び、第二分割型分割面テーパ部４２ｅと型割ピン第二テーパ部３７ｂは、同方向であればよく、平行に限定されない。そして、鍛造装置３０を構成する上型５０、下型３０、分割型４０は、更に分割、又は統合してもよい。型割ピン駆動装置として第二ノックアウト３９を用いているが、その他の駆動装置を用いてもよい。
【図面の簡単な説明】
【００２７】
【図１】本発明の鍛造品の成形工程を表す断面正面図である。
【図２】本発明の鍛造品を成形する熱間鍛造成形工程を表し、左半部が、鍛造品の成形前、右半部が、鍛造品を成形した状態を表す部分断面正面図である。
【図３】図２を、軸線を中心に９０°回転させた状態の鍛造品を成形する熱間鍛造成形工程を表し、左半部が、鍛造品の成形前、右半部が、鍛造品を成形した状態を表す部分断面図である。
【図４】本発明の鍛造品を成形した後の熱間鍛造成形工程を表し、左半部が、型割ピンが上昇し、分割型が後退した状態、右半部が、第二ノックアウトにより鍛造品が金型から取り出された状態を表す部分断面正面図である。
【図５】本発明の分割型の平面図である。
【図６】本発明の分割型が後退した状態を表し、上半部が、初期の分割型が後退した状態の平面図であり、下半部が、更に分割型が後退した状態の平面図である。
【図７】図５のＡ−Ａ部の駆動状態を表し、（ア）は、分割型が後退する前の状態を表す要部断面正面図、（イ）は、分割型が型割ピンと分割型駆動装置により後退を開始した状態を表す要部断面正面図、（ウ）は、更に分割型が後退した状態を表す要部断面正面図である。
【符号の説明】
【００２８】
３７    型割ピン
３７ａ    第一テーパ部
３７ｂ    第二テーパ部
３９    型割ピン駆動装置（第二ノックアウト）
４０    分割型
４１    第一分割型
４１ｅ    第一分割型分割面テーパ部
４２    第二分割型
４２ｄ    第二分割型端面
４２ｅ    第二分割型分割面テーパ部
４５    分割型駆動装置
Ｗ３    鍛造品
【図１】
0005036055.tif 000002
【図２】
0005036055.tif 000003
【図３】
0005036055.tif 000004
【図４】
0005036055.tif 000005
【図５】
0005036055.tif 000006
【図６】
0005036055.tif 000007
【図７】
0005036055.tif 000008